(57)【要約】【目的】野縁を野縁受けに簡単に吊持できと共に、製作コストを安くできる野縁吊持用クリップを提供する。【解決手段】下板部２ａと両側板部２ｂ，２ｃとによって野縁２４Ａの内法幅Ｗ１ａより短く且つ野縁２４Ａの開口幅Ｗ２ａより長い長さＬａ　と野縁２４Ａの開口幅Ｗ２ａより狭い外法幅Ｗとを有するコ字状枠部２を形成し、コ字状枠部２には両側板部２ｂ，２ｃの夫々両端部に、野縁２４Ａの両リップ２４ｃ，２４ｃに係合する係合突起３，３を突設し、コ字状枠部２の一方の側板部２ｂの両係合突起３，３間には、野縁受け２３のウエブ２３ａから上部フランジ２３ｂに亘って係合するように延びる竪板部４及び横板部５を連設すると共に、横板部５には掛止固定部片７を形成するための折り曲げ容易な折り目６を設けてなる。【選択図】　　　　図１
2004131928.tif 000002
【特許請求の範囲】
【請求項１】
溝開口を横向きにした溝形材からなる野縁受けの下面に当接してこれと直交するように配置される、溝開口を上向きにしたリップ付き溝形材からなる野縁を野縁受けに吊持するための野縁吊持用クリップであって、
下板部と両側板部とによって野縁の内法幅より短く且つ野縁の開口幅より長い長さと野縁の開口幅より狭い外法幅とを有する断面上向き略コ字状の枠部を形成すると共に、このコ字状枠部には両側板部の夫々両端部に、野縁の両リップの裏面側に係合する係合突起を突設し、コ字状枠部の一方の側板部の両係合突起間には、コ字状枠部を野縁内に挿入して係合突起をリップに係合させた状態で野縁上面に載置された野縁受けのウエブ又は溝開口から上部フランジに亘って係合するように延びる竪板部及び横板部を連設すると共に、横板部にはその先端側を上部フランジの側端縁から下向きに折り曲げて掛止固定部片を形成するための折り曲げ容易な折り目を設けてなる野縁吊持用クリップ。
【請求項２】
前記コ字状枠部の他方の側板部は、両係合突起間における上端位置が、コ字状枠部を野縁内に挿入して係合突起をリップに係合させた状態で野縁上面に当接された野縁受けの下部フランジより若干上位にあって、この下部フランジの先端面が当接し得るようになっている請求項１に記載の野縁吊持用クリップ。
【請求項３】
前記コ字状枠部の他方の側板部の両係合突起間には、この側板部の上端から外向き傾斜状に延びる傾斜状ガイド部を成形してなる請求項２に記載の野縁吊持用クリップ。
【請求項４】
前記コ字状枠部の下板部を菱形状平行四辺形に形成し、この菱形状平行四辺形の対向する二辺に側板部を形成すると共に、一方の側板部の一端側の係合突起は当該側板部の長さ範囲内に形成し、他端部側の係合突起は当該側板部の長さ範囲を越えた位置で内向きに折曲し、しかして一方の側板部の両端側の係合突起と他方の側板部の両端側の係合突起とは互いに回転対称位置にある請求項１〜３の何れかに記載の野縁吊持用クリップ。
【発明の詳細な説明】
【０００１】
【発明の属する技術分野】
本発明は、天井下地の施工にあたって野縁を野縁受けに吊持するための野縁吊持用クリップに関するもので、特に外部軒下やピロティ天井など、特に耐風圧強度を要求される場合の耐風圧下地及び準耐風圧下地の施工に使用される野縁吊持用クリップに関する。
【０００２】
【従来の技術】
図７は天井下地構造を図示したもので、吊りボルト２１が上端部を天井スラブ（図示せず）に螺挿して垂下状態に保持され、この吊りボルト２１の下部に取り付けた吊りハンガー２２によって野縁受け２３が支持されると共に、この野縁受け２３に嵌装したクリップ２５Ａ，２５Ｂを介して野縁２４Ａ，２４Ｂが吊持され、この野縁２４に天井板（図示せず）が取り付けられる。尚、野縁２４Ａは、幅の広い、例えば５０ｍｍ幅の、通称ダブル野縁であり、野縁２４Ｂは、幅の狭い、例えば２５ｍｍ幅の通称シングル野縁である。また、クリップ２５Ａはダブル野縁２４Ａに使用されるクリップ、クリップ２５Ｂはシングル野縁２４Ｂに使用されるクリップである。また、野縁受け２３は、溝開口を横向きにした溝形材からなり、野縁２４Ａ，２４Ｂは、溝開口を上向きにしたリップ２４ｃ，２４ｃ付き溝形材（図８参照）からなるもので、野縁受け２２の下面に当接してこれと直交するように配置される。
【０００３】
図８は、従来の例えばダブル野縁２４Ａ用のクリップ２５Ａを示し、特に耐風圧天井下地に使用されるクリップ２５Ａを示している。このクリップ２５Ａは、夫々鋼板で形成した一対のクリップ本体２６，２６からなるもので、各クリップ本体２６の下端部にはその左右両端部に、野縁野縁２４Ａの両リップ２４ｃ，２４ｃの裏面側に係合する係合突起２７，２７を形成し、上端部側には断面Ｌ字状の係合段部２８を形成している。
【０００４】
しかして、使用にあたっては、両クリップ本体２６，２６の下端部分を夫々野縁２４Ａ内に挿入して、各クリップ本体２６の下端部の係合突起２７，２７を野縁２４Ａの両リップ２４ｃ，２４ｃに下側から係合させ、一方のクリップ本体２６を野縁受け２３のウエブ２３ａから上部フランジ２３ｂの片側半分に亘って係合させ、他方のクリップ本体２６を野縁受け２３の溝開口２３ｏから上部フランジ２３ｂの片側半分に亘って係合させ、この状態で両クリップ本体２６，２６の上端部同士をボルト１９及びナット２０で締め付け固定し、これにより野縁２４Ａを野縁受け２３に吊持するようにしている（例えば、非特許文献１参照）。
【０００５】
【非特許文献１】
「建築内装仕上工事標準施工要領書」　財団法人　全国建設室内工事業協会
平成６年９月８日　第１版第３刷発行　６７頁
【０００６】
【発明が解決しようとする課題】
上記のような従来のクリップ２５Ａは、一対のクリップ本体２６，２６からなるもので、使用にあたり、両クリップ本体２６，２６の夫々下端部を野縁２４Ａ内に挿入して、各クリップ本体２６の係合突起２７，２７を野縁２４Ａの両リップ２４ｃ，２４ｃに下側から係合させた後に、両クリップ本体２６，２６の上端部に亘ってボルト２８を通し、ナット２９で締め付け固定する必要があり、このボルト・ナットによる両クリップ本体２６，２６の連結及び締め付け作業に手間がかかり、天井下地の施工能率を低下させていた。また、従来のクリップ２５Ａは、一対のクリップ本体２６，２６，ボルト２８及びナット２９によって構成されるため、部品点数が多くなり、製作コストが高くついていた。
【０００７】
本発明は、上記の課題に鑑み、単品からなる構造で、野縁を野縁受けに簡単容易に吊持できて、天井下地の施工能率を向上できると共に、製作コストの低廉化を図ることのできる野縁吊持用クリップを提供することを目的とする。
【０００８】
【課題を解決するための手段】
請求項１に係る発明は、溝開口２３ｏを横向きにした溝形材からなる野縁受け２３の下面に当接してこれと直交するように配置される、溝開口２３ｏを上向きにしたリップ２４ｃ，２４ｃ付き溝形材からなる野縁２４Ａ又は２４Ｂを野縁受け２３に吊持するための野縁吊持用クリップであって、下板部２ａと両側板部２ｂ，２ｃとによって野縁２４Ａ又は２４Ｂの内法幅Ｗ１ａ又はＷ１ｂより短く且つ野縁２４Ａ又は２４Ｂの開口幅Ｗ２ａ又はＷ２ｂより長い長さＬａ　又はＬｂ　と野縁２４Ａ又は２４Ｂの開口幅Ｗ２ａ又はＷ２ｂより狭い外法幅Ｗ３ａ又はＷ３ｂとを有する断面上向き略コ字状の枠部２を形成すると共に、このコ字状枠部２には両側板部２ｂ，２ｃの夫々両端部に、野縁２４Ａ又は２４Ｂの両リップ２４ｃ，２４ｃの裏面側に係合する係合突起３，３を突設し、コ字状枠部２の一方の側板部２ｂの両係合突起３，３間には、コ字状枠部２を野縁２４Ａ又は２４Ｂ内に挿入して係合突起３をリップ２４ｃに係合させた状態で野縁２４Ａ又は２４Ｂ上面に載置された野縁受け２３のウエブ２３ａ又は溝開口２３ｏから上部フランジ２３ｂに亘って係合するように延びる竪板部４及び横板部５を連設すると共に、横板部５にはその先端側を上部フランジ２３ｂの側端縁から下向きに折り曲げて掛止固定部片７を形成するための折り曲げ容易な折り目６を設けてなることを特徴とする。
【０００９】
請求項２は、請求項１に記載の野縁吊持用クリップにおいて、前記コ字状枠部２の他方の側板部２ｃは、両係合突起３，３間における上端位置が、コ字状枠部２を野縁２４Ａ又は２４Ｂ内に挿入して係合突起３をリップ２４ｃに係合させた状態で野縁２４Ａ又は２４Ｂ上面に当接された野縁受け２３の下部フランジ２３ｃより若干上位にあって、この下部フランジ２３ｃの先端面が当該側板部２ｃに当接し得るようになっていることを特徴とする。
【００１０】
請求項３は、請求項２に記載の野縁吊持用クリップにおいて、前記コ字状枠部２の他方の側板部２ｃの両係合突起３，３間には、この側板部２ｃの上端から外向き傾斜状に延びる傾斜状ガイド部８を成形してなることを特徴とする。
【００１１】
請求項４は、請求項１〜３の何れかに記載の野縁吊持用クリップにおいて、前記コ字状枠部２の下板部２ａを菱形状平行四辺形に形成し、この菱形状の平行四辺形の対向する二辺に側板部２ｂ，２ｃを形成すると共に、一方の側板部２ｂの一端側の係合突起３は当該側板部２ｂの長さ範囲内に形成し、他端部側の係合突起３ｏは当該側板部２ｂの長さ範囲を越えた位置で内向きに折曲し、しかして一方の側板部２ｂの両端側の係合突起３，３ｏと他方の側板部２ｃの両端側の係合突起３，３ｏとは互いに回転対称位置にあることを特徴とする。
【００１２】
【発明の実施の形態】
図１は本発明に係る野縁吊持用クリップ１Ａの使用状態を示す斜視図、図２の（Ａ）は製品として流通される段階でのクリップ１Ａの外観形状を示す斜視図、（Ｂ）はクリップ１Ａの製作前の展開状態を示す平面図、図３の（Ａ）はクリップ１Ａの使用状態をクリップ１Ａの背面側から見た背面図、（Ｂ）は（Ａ）のＸ−Ｘ線に沿った断面図である。尚、このクリップ１Ａは、耐風圧下地に使用されると共に、幅の広い（例えば５０ｍｍ幅）ダブル野縁２４Ａに使用されるクリップである。
【００１３】
この野縁吊持用クリップ１Ａは、鋼板の打ち抜き及びプレス加工によって形成されるもので、下板部２ａと両側板部２ｂ，２ｃとによって、野縁２４Ａの内法幅Ｗ１ａより短く且つ野縁２４Ａの開口幅Ｗ２ａよりは長い長さＬａ　と、野縁２４Ａの開口幅Ｗ２ａより十分に狭い外法幅Ｗ３ａとを有する断面上向き略コ字状の枠部２が形成されると共に、このコ字状枠部２には両側板部２ｂ，２ｃの夫々両端部に、野縁２４Ａの両リップ２４ｃ，２４ｃの裏面側に夫々係合する係合突起３，３が突設され、更にコ字状枠部２の一方の側板部２ｂの両係合突起３，３間には、図１に示すようにコ字状枠部２を野縁２４Ａ内に挿入して係合突起３をリップ２４ｃに係合させた状態で野縁２４Ａのリップ２４ｃ，２４ｃ上面に当接された野縁受け２３のウエブ２３ａの背面から上部フランジ２３ｂに亘って係合するように延びる竪板部４及び横板部５が連設され、そしてこの横板部５には、その先端側を図１及び図３の（Ｂ）に示すように上部フランジ２３ｂの側端縁から下向きに折り曲げて掛止固定部片７を形成するための折り曲げ容易な折り目６が設けられ、他方の側板部２ｃの上端部には外向き傾斜状ガイド部８が設けられている。尚、この実施形態では、リップ２４ｃは断面円弧状に形成されているが、図８に示すように断面略Ｌ字状に形成される場合もある。
【００１４】
このクリップ１Ａの製作にあたっては、鋼板を図２の（Ｂ）に示すような展開形状に打ち抜き、この打ち抜き鋼板を折り目Ｍ１，Ｍ２に沿って内向きに折曲加工することにより、竪板部４の下端側にコ字状枠部２が一体形成され、またＭ３に沿って内向きに折曲加工することによって、竪板部４と直角を成す横板部５が形成され、更にＭ４に沿って内向きに折曲加工することによって、側板部２ｃの上端部に外向き傾斜状ガイド部８が形成される。
【００１５】
このクリップ１Ａでは、横板部５の先端側を折り曲げて掛止固定部片７を形成するための折り曲げ容易な折り目６は、例えば、中央部側に開口形成された横長矩形状の開口部６ａと、この開口部６ａの両側に開口形成された縦長の小さい長円形状開口部６ｂ，６ｂと、両端の切欠部６ｃ，６ｃとからなる。折り曲げ容易な折り目６としては、このような開口部と共に、又は開口部に代えて、横板部５の裏面側に折り目６に沿って断面略Ｖ字状の切り込み線を刻設してもよい。
【００１６】
また、クリップ１Ａでは、コ字状枠部２の他方の側板部２ｃは、図３の（Ｂ）から分かるように、両係合突起３，３間における上端位置が、コ字状枠部２を野縁２４Ａ内に挿入して係合突起３をリップ２４ｃの裏面に係合させた状態で野縁２４Ａ上面に当接された野縁受け２３の下部フランジ２３ｃよりも若干上位にあって、この下部フランジ２３ｃの先端面が側板部２ｃの上端部内面に当接し得るようになっており、そしてこの側板部２ｃの上端から傾斜状ガイド部８が外向き傾斜状に突出している。
【００１７】
上記のような構成の野縁吊持用クリップ１Ａを使用して野縁２４Ａを野縁受け２３に吊持するには、クリップ１Ａのコ字状枠部２を野縁２４Ａ内に挿入して、各側板部２ｂ，２ｃの両端部にある係合突起３，３を野縁２４Ａの両リップ２４ｃ，２４ｃの裏面側に係合させた状態で、このクリップ１Ａの竪板部４及び横板部５と野縁２４Ａの上面との空間部に対し野縁受け２３を嵌め込むと、クリップ１Ａの竪板部４及び横板部５が野縁受け２３のウエブ２３ａから上部フランジ２３ｂに亘って係合して、野縁受け２３が野縁２４Ａの上面に載置された状態に保持される。
【００１８】
しかして、この状態から横板部５の先端側を折り目６に沿って上部フランジの側端縁から下向きに折り曲げて掛止固定部片７を形成することにより、クリップ１Ａは、野縁２４Ａの各リップ２４ｃに対し夫々２個づつ係合した係合突起３によって野縁２４Ａを野縁受け２３の下面に引き付けた状態で、掛止固定部片７によって野縁受け２３に掛止固定され、これによって図１及び図２に示すように野縁２４Ａを野縁受け２３に対して単に吊持するだけでなく、野縁受け２３自体を野縁２４Ａの上面に強力に掴持固定することができる。従って、耐風圧強度を要求される外部軒下などの野縁吊持用クリップとして有効である。
【００１９】
クリップ１Ａのコ字状枠部２を野縁２４Ａ内に挿入する時は、コ字状枠部２を野縁２４Ａの長手方向に対し若干斜めにするだけで、野縁２４Ａ内に簡単に挿入できる。また、クリップ１Ａの竪板部４及び横板部５と野縁２４Ａの上面との空間部に対して野縁受け２３を嵌め込む時には、野縁２４Ａの上面から傾斜状ガイド部８が突出した状態にあるから、この傾斜状ガイド部８を利用すれば、クリップ１Ａの竪板部４及び横板部５と野縁２４Ａとの空間部に対する野縁受け２３の嵌め込みが容易となる。
【００２０】
このクリップ１Ａにおけるコ字状枠部２の側板部２ｃは、両係合突起３，３間における上端位置が、図３の（Ｂ）に示すように、野縁２４Ａの上面に載置された野縁受け２３の下部フランジ２３ｃより若干上位にあって、この下部フランジ２３ｃの先端面が側板部２ｃの上端部内面に当接し得る状態となっているから、野縁２４Ａの上面に載置された状態にある野縁受け２３が傾転したり、ガタつくようなことがない。尚、このクリップ１Ａの竪板部４及び横板部５には夫々ビス挿通孔１０が設けてあって、必要により、このビス挿通孔１０から野縁受け２３のウエブ２３ａにビスをねじ込むようにすれば、クリップ１Ａを野縁受け２３に強固に固定させることができる。
【００２１】
図４は本発明に係る野縁吊持用クリップ１Ｂの使用状態を示す斜視図、図５の（Ａ）は製品として流通される段階でのクリップ１Ｂの外観斜視図、（Ｂ）はクリップ１Ｂの製作前の展開状態を示す平面図、図６の（Ａ）はクリップ１Ｂの使用状態をクリップ１Ｂの背面側から見た背面図、（Ｂ）は（Ａ）のＹ−Ｙ線に沿った断面図である。このクリップ１Ｂは、前記クリップ１Ａと同様に耐風圧下地に使用されると共に、幅の狭い（例えば２５ｍｍ幅）シングル野縁２４Ｂに使用されるクリップである。
【００２２】
このクリップ１Ｂでは、下板部２ａと両側板部２ｂ，２ｃとによって、野縁２４Ｂの内法幅Ｗ１ｂより短く且つ野縁２４Ｂの開口幅Ｗ２ｂよりは長い長さＬｂ　と、野縁２４Ｂの開口幅Ｗ２ｂより僅かに狭い外法幅Ｗ３ｂとを有する断面上向き略コ字状の枠部２が形成されると共に、このコ字状枠部２には両側板部２ｂ，２ｃの夫々両端部に、野縁２４Ｂの両リップ２４ｃ，２４ｃの裏面側に夫々係合する係合突起３，３が突設され、更にコ字状枠部２の一方の側板部２ｂの両係合突起３，３間には、図４に示すようにコ字状枠部２を野縁２４Ｂ内に挿入して係合突起３をリップ２４ｃに係合させた状態で野縁２４Ｂのリップ２４ｃ上面に当接された野縁受け２３のウエブ２３ａの背面から上部フランジ２３ｂに亘って係合するように延びる竪板部４及び横板部５が連設され、そしてこの横板部５には、その先端側を図４に示すように上部フランジ２３ｂの側端縁から下向きに折り曲げて掛止固定部片７を形成するための折り曲げ容易な折り目６が設けられ、また他方の側板部２ｃの上端部には外向き傾斜状ガイド部８が設けてある。
【００２３】
また、このクリップ１Ｂは、図５及び図６に示すように、コ字状枠部２の下板部が菱形状の平行四辺形に形成されていて、この菱形状平行四辺形の対向する二辺に側板部２ｂ，２ｃが形成されると共に、一方の側板部２ｂの一端側の係合突起３は、その側板部２ｂの長さ範囲内に形成され、他端部側の係合突起３は、その側板部２ｃの長さ範囲を越えた位置で内向きに例えば３０度程度折曲され（この係合突起３を特に３ｏで示す）、しかして上記一方の側板部２ｂの両端側の係合突起３，３ｏと他方の側板部２ｃの両端側の係合突起３，３ｏとは、図６の（Ｂ）に示すように互いに回転対称位置に設けられている。
【００２４】
このクリップ１Ｂの製作にあたっては、鋼板を図５の（Ｂ）に示すような展開形状に打ち抜き、この打ち抜き鋼板を折り目Ｍ１，Ｍ２に沿って内向きに折曲加工することにより、横板部５の下端側に下板部２ａが菱形状の平行四辺形を成すコ字状枠部２が一体形成され、またＭ３に沿って内向きに折曲加工することによって、竪板部４と直角を成す横板部５が形成され、更にＭ４に沿って内向きに折曲加工することによって、側板部２ｃの上端部に外向き傾斜状ガイド部８が形成され、そして更に各側板部２ｂ，２ｃの両係合突起３，３の片方を図６の（Ｂ）に示すように内向きに例えば３０度程度折曲することによって、図５の（Ａ）に示すようなクリップ１Ｂが形成される。尚、このクリップ１Ｂでは、横板部５の先端側に掛止固定部片７を形成するための折り曲げ容易な折り目６は、例えば、中央部側に開口形成された１つの横長矩形状の開口部６ａと両端の切欠部６ｃ，６ｃとからなる。
【００２５】
上記のような構成のクリップ１Ｂを使用して、図４に示すような幅狭のシングル野縁２４Ｂを野縁受け２３に吊持する方法は、クリップ１Ａの場合と同様で、クリップ１Ｂのコ字状枠部２を野縁２４Ｂ内に挿入して、各側板部２ｂ，２ｃの両端部にある係合突起３，３ｏを野縁２４Ｂの両リップ２４ｃ，２４ｃの裏面側に係合させた状態で、クリップ１Ｂの竪板部４及び横板部５と野縁２４Ｂの上面との空間部に対し野縁受け２３を嵌め込むと、クリップ１Ｂの竪板部４及び横板部５が野縁受け２３のウエブ２３ａから上部フランジ２３ｂに亘って係合して、野縁受け２３が野縁２４Ｂの上面に載置された状態に保持される。この状態から横板部５の先端側を折り目６に沿って下向きに折り曲げて掛止固定部片７を形成すれば、クリップ１Ｂは、野縁２４Ｂの各リップ２４ｃに対し夫々２個づつ係合した係合突起３によって野縁２４Ｂを野縁受け２３の下面に引き付けた状態で、掛止固定部片７により野縁受け２３に掛止固定され、図４及び図６に示すように野縁２４Ｂを野縁受け２３に吊持すると共に、野縁受け２３を野縁２４Ｂの上面に強く掴持固定する。
【００２６】
このクリップ１Ｂのコ字状枠部２をシングル野縁２４Ｂ内に挿入する時には、コ字状枠部２を、図６の（Ｂ）の仮想線図示のように野縁２４Ｂの長手方向と平行に位置させた状態で野縁２４Ｂ内に挿入した後、このコ字状枠部２を同図の矢印で示す方向、即ち同図の時計回り方向に９０度回転して同図の実線図示位置に位置させることによって、各側板部２ｂ，２ｃの両端部にある係合突起３，３ｏを野縁２４Ｂの両リップ２４ｃ，２４ｃの裏面側に迅速且つ容易に係合させることができる。このクリップ１Ｂも、竪板部４及び横板部５に夫々ビス挿通孔１０が設けてあって、必要により、このビス挿通孔１０から野縁受け２３のウエブ２３ａにビスをねじ込めば、クリップ１Ｂを野縁受け２３に強固に固定できる。
【００２７】
以上の実施形態では、クリップ１Ａ，１Ｂの竪板部４を、野縁受け２３のウエブ２３ａの背面から上部フランジ２３ｂに亘って係合させるようにしているが、野縁受け２３の溝開口２３ｏ（図１及び図４参照）から上部フランジ２３ｂに亘って係合させるようにしてもよい。
【００２８】
【発明の効果】
請求項１に係る発明の野縁吊持用クリップは、クリップのコ字状枠部を野縁内に挿入して、各側板部の両端部にある係合突起を野縁の両リップの裏面側に係合させた状態で、クリップの竪板部及び横板部と野縁の上面との空間部に対し野縁受けを嵌め込むようにすれば、竪板部及び横板部が野縁受けのウエブから上部フランジに亘って係合して、野縁受けが野縁の上面に載置された状態に保持され、しかしてこの状態から横板部の先端側を下向きに折り曲げて掛止固定部片を形成すれば、このクリップは、野縁の各リップに対し夫々２個づつ係合した係合突起により野縁を野縁受け下面に引き付けて掴持した状態で、野縁を野縁受けに吊持することができる。このように簡単な作業で野縁を野縁受けに容易に吊持できて、天井下地の施工能率を図ることができると共に、クリップが単品で構成されるから、製作コストを安くできる。
【００２９】
請求項２に係る発明の野縁吊持用クリップによれば、コ字状枠部の他方の側板部は、両係合突起間における上端位置が、野縁の上面に載置された野縁受けの下部フランジより若干上位にあって、この下部フランジの先端面が側板部に当接する状態となっているから、野縁の上面に載置された状態にある野縁受けが傾転したり、ガタつくようなことがなく、きわめて安定状態となる。
【００３０】
請求項３に係る発明の野縁吊持用クリップによれば、コ字状枠部の他方の側板部の両係合突起間には、この側板部の上端からから外向き傾斜状に延びる傾斜状ガイド部を成形しているから、クリップの竪板部及び横板部と野縁との空間部に対する野縁受けの嵌め込みが容易となる。
【００３１】
請求項３に係る発明の野縁吊持用クリップは、幅の狭い所謂シングル野縁を野縁受けに吊持するのに有効であって、コ字状枠部を野縁内に挿入するにあたり、コ字状枠部を野縁の長手方向と平行に位置させた状態で野縁内に挿入した後、このコ字状枠部を９０度回転させることによって、各側板部の両端部にある係合突起を野縁の両リップの裏面側に迅速且つ容易に係合させることができる。
【図面の簡単な説明】
【図１】本発明に係るクリップの使用状態を示す斜視図である。
【図２】（Ａ）は製品として流通される状態でのクリップの外観斜視図、
（Ｂ）はクリップの製作前の展開状態を示す平面図である。
【図３】（Ａ）はクリップの使用状態をクリップの背面側から見た背面図
、（Ｂ）は（Ａ）のＸ−Ｘ線に沿った断面図である。
【図４】本発明に係る他のクリップの使用状態を示す斜視図である。
【図５】（Ａ）は製品として流通される状態でのクリップの外観斜視図、
（Ｂ）はクリップの製作前の展開状態を示す平面図である。
【図６】（Ａ）はクリップの使用状態をクリップの背面側から見た背面図、（Ｂ）は（Ａ）のＹ−Ｙ線に沿った断面図である。
【図７】天井下地構造を示す説明斜視図である。
【図８】（Ａ）は従来のクリップの正面図、（Ｂ）は側面図である。
【符号の説明】
１Ａ，１Ｂ　　　　　　　クリップ
２　　　　　　　　　　　コ字状枠部
２ａ　　　　　　　　　　下板部
２ｂ，２ｃ　　　　　　　側板部
３　　　　　　　　　　　係合突起
３ｏ　　　　　　　　　　内向きに折曲された係合突起
４　　　　　　　　　　　竪板部
５　　　　　　　　　　　横板部
６　　　　　　　　　　　折り曲げ容易な折り目
７　　　　　　　　　　　掛止固定部片
８　　　　　　　　　　　傾斜状ガイド部
２３　　　　　　　　　　野縁受け
２４Ａ　　　　　　　　　ダブル野縁
２４Ｂ　　　　　　　　　シングル野縁
２４ｃ，２４ｃ　　　　　野縁のリップ
【図１】
2004131928.tif 000003
【図２】
2004131928.tif 000004
【図３】
2004131928.tif 000005
【図４】
2004131928.tif 000006
【図５】
2004131928.tif 000007
【図６】
2004131928.tif 000008
【図７】
2004131928.tif 000009
【図８】
2004131928.tif 000010